(57)【要約】  本発明は、通信システムにおいてデュアル・コネクティビティを有するユーザ機器のモビリティを決定する方法を提供する。１つの実施形態において、ソース・スモールセルが、ユーザ機器にサービスを提供するためにターゲット・スモールセルがソース・スモールセル自体に取って代わることを決定するように、ユーザ機器は、ソース・スモールセルによって占有される周波数において測定レポートをソース・スモールセルに送信する。もう１つの実施形態において、ユーザ機器は、マクロセルがユーザ機器にサービスを提供するためにターゲット・スモールがソース・スモールセルに取って代わることを決定するように、ソース・スモールセルによって占有される周波数において測定レポートをマクロセルに送信する。
2016521530.tif 000002
【特許請求の範囲】
【請求項１】
ソース・スモールセルにおいて、ユーザ機器のモビリティを決定するための方法であって、前記ソース・スモールセルはマクロセルのカバレッジエリア内にあり、前記ユーザ機器は前記マクロセルおよび前記ソース・スモールセルによって同時にサービスを提供される方法において、
ａ．  前記ユーザ機器に割り振られるリソースに関して前記マクロセルと調整し、前記ソース・スモールセルの構成情報を前記マクロセルに提供するステップと、
ｂ．  前記ユーザ機器が前記ソース・スモールセルにアクセスするときに、前記ユーザ機器への送信のために前記マクロセルからダウンリンク・データの少なくとも一部を受信するステップと、
ｃ．  前記ユーザ機器が前記ソースセルにアクセスするように、前記ユーザ機器と対話するステップと、
ｄ．  前記ユーザ機器から、前記ソース・スモールセルによって占有される周波数において測定レポートを受信するステップ、または前記ユーザ機器から、スモールセルの全部によって占有される周波数において測定レポートを受信するステップと、
ｅ．  前記測定レポートに基づいて、前記ユーザ機器にサービスを提供するためにターゲット・スモールセルが前記ソース・スモールセルに取って代わることを決定するステップと、
ｆ．  前記ユーザ機器に割り振られるリソースに関して前記ターゲット・スモールセルと調整し、前記ターゲット・スモールセルの構成情報を前記ターゲット・スモールセルから取得するステップと、
ｇ．  前記ターゲット・スモールセルの前記構成情報を前記ユーザ機器に送信し、前記ソース・スモールセルによって割り振られる前記リソースを前記ユーザ機器に解放するステップとを備える方法。
【請求項２】
前記ステップｇは、
前記マクロセルが、前記ターゲット・スモールセルで確立されるＤＲＢに対応するダウンリンク・データを前記ターゲット・スモールセルに送信するように、どのＤＲＢが前記ターゲット・スモールセルで確立されるか、および／またはどのＤＲＢが前記ターゲット・スモールセルで確立されないかを前記マクロセルに通知するステップをさらに備えることを特徴とする請求項１に記載の方法。
【請求項３】
部分ＤＲＢのみが前記ターゲット・スモールセルで確立される場合、前記ステップｇは、
前記ターゲット・スモールセルで確立されていない前記ＤＲＢに対応する未配信データを、前記マクロセルに送信するステップをさらに備えることを特徴とする請求項２に記載の方法。
【請求項４】
前記ステップｇは、
前記ターゲット・スモールセルで確立され、前記ソース・スモールセルによって前記ユーザ機器に配信されていない前記ＤＲＢに対応するデータを、前記ターゲット・スモールセルに送信するステップをさらに備えることを特徴とする請求項２に記載の方法。
【請求項５】
前記ソース・スモールセルの前記構成情報は、
前記ソース・スモールセルによって占有される周波数および帯域幅と、
前記ソース・スモールセルのアンテナ構成と、
前記ソース・スモールセルの物理セル識別子と、
共通チャネル構成と、
異なるタイミング・アドバンスが前記マクロセルと前記ソース・スモールセルとの間にある場合、前記ソース・スモールセルのタイミング・アドバンス・グループ構成と、
前記ソース・スモールセルによって前記ユーザ機器に割り振られる無線ネットワーク一時識別子と、
前記ソース・スモールセルにおいて確立されるＤＲＢ構成と、
前記ソース・スモールセルにおいて確立されるＳＲＢ構成とを含み、
前記ターゲット・スモールセルの前記構成情報は、
前記ターゲット・スモールセルによって占有される周波数および帯域幅と、
前記ターゲット・スモールセルのアンテナ構成と、
前記ターゲット・スモールセルによって前記ユーザ機器に割り振られる無線ネットワーク一時識別子と、
前記ターゲット・スモールセルの物理セル識別子と、
前記ターゲット・スモールセルにおいて確立されるＤＲＢ構成と、
前記ターゲット・スモールセルにおいて確立されるＳＲＢ構成とを含むことを特徴とする請求項１に記載の方法。
【請求項６】
ユーザ機器において、前記ユーザ機器のモビリティを決定する際にソース・スモールセルを支援するための方法であって、前記ソース・スモールセルはマクロセルのカバレッジエリア内にあり、前記ユーザ機器は前記マクロセルおよび前記ソース・スモールセルによって同時にサービスを提供される方法において、
ｉ．  前記ソース・スモールセルの構成情報を前記マクロセルから受信するステップと、
ｉｉ．  前記ソース・スモールセルにアクセスするステップと、
ｉｉｉ．  前記ソース・スモールセルによって占有される周波数において測定レポートを前記ソース・スモールセルに送信し、その他の周波数において測定レポートを前記マクロセルに送信するステップ、または、スモールセルによって占有される周波数において測定レポートを前記ソース・スモールセルに送信し、その他の周波数において測定レポートを前記マクロセルに送信するステップと、
ｉｖ．  ターゲット・スモールセルの構成情報を前記ソース・スモールセルから受信するステップと、
ｖ．  前記ターゲット・スモールセルにアクセスするステップとを備える方法。
【請求項７】
前記ステップｉｉは、
前記ソース・スモールセルにおいてランダム・アクセスを実行するステップと、
前記ソース・スモールセルから送信されるランダム・アクセス応答を受信するステップとを備えることを特徴とする請求項６に記載の方法。
【請求項８】
前記ステップｉｉは、
前記ソース・スモールセルのアクティブ化インジケータを前記マクロセルから受信するステップと、
ランダム・アクセス・トリガーを取得するために、前記ソース・スモールセルにおいてダウンリンク制御情報を受信するステップとをさらに備えることを特徴とする請求項７に記載の方法。
【請求項９】
マクロセルにおいて、ユーザ機器のモビリティを決定する際にソース・スモールセルを支援するための方法であって、前記ソース・スモールセルは前記マクロセルのカバレッジエリア内にあり、前記ユーザ機器は前記マクロセルおよび前記ソース・スモールセルによって同時にサービスを提供される方法において、
Ａ．  チャネル条件およびスループット要件に基づいて、前記ユーザ機器のスモールセルを構成するステップと、
Ｂ．  前記ユーザ機器に割り振られるリソースに関して前記ソース・スモールセルと調整し、前記ソース・スモールセルの構成情報を取得するステップと、
Ｃ．  前記ソース・スモールセルの前記構成情報を前記ユーザ機器に送信し、前記ユーザ機器が前記ソース・スモールセルにアクセスするときに、前記ユーザ機器への送信のためにダウンリンク・データの少なくとも一部を前記ソース・スモールセルに送信するステップと、
Ｄ．  前記ソース・スモールセルから通知メッセージを受信するステップであって、前記通知メッセージは、前記マクロセルが、ターゲット・スモールセルで確立されるＤＲＢに対応するダウンリンク・データを前記ターゲット・スモールセルに送信するように、どのＤＲＢが前記ターゲット・スモールセルで確立されるか、および／またはどのＤＲＢが前記ターゲット・スモールセルで確立されないかを前記マクロセルに通知するために使用される、ステップとを備える方法。
【請求項１０】
前記ターゲット・スモールセルで確立され、前記ソース・スモールセルによって前記ユーザ機器に配信されていない前記ＤＲＢに対応するデータを、前記ユーザ機器または前記ターゲット・スモールセルに送信するステップをさらに備えることを特徴とする請求項９に記載の方法。
【請求項１１】
マクロセルにおいて、ユーザ機器のモビリティを決定する際にソース・スモールセルを支援するための方法であって、前記ソース・スモールセルは前記マクロセルのカバレッジエリア内にあり、前記ユーザ機器は前記マクロセルおよび前記ソース・スモールセルによって同時にサービスを提供される方法において、
チャネル条件およびスループット要件に基づいて、前記ユーザ機器のスモールセルを構成するステップと、
前記ユーザ機器に割り振られるリソースに関して前記ソース・スモールセルと調整し、前記ソース・スモールセルの構成情報を取得するステップと、
前記ソース・スモールセルの前記構成情報を前記ユーザ機器に送信し、前記ユーザ機器が前記ソース・スモールセルにアクセスするときに、前記ユーザ機器への送信のためにダウンリンク・データの少なくとも一部を前記ソース・スモールセルに送信するステップと、
ターゲット・スモールセルから通知メッセージを受信するステップであって、前記通知メッセージは、前記マクロセルが、前記ターゲット・セルで確立されるＤＲＢに対応するダウンリンク・データを前記ターゲット・セルに送信するように、どのＤＲＢが前記ターゲット・スモールセルで確立されるか、および／またはどのＤＲＢが前記ターゲット・セルで確立されないかを前記マクロセルに通知するために使用される、ステップとを備える方法。
【請求項１２】
ターゲット・スモールセルにおいて、ユーザ機器のモビリティを決定する際にソース・スモールセルを支援するための方法であって、前記ソース・スモールセルはマクロセルのカバレッジエリア内にあり、前記ユーザ機器は前記マクロセルおよび前記ソース・スモールセルによって同時にサービスを提供される方法において、
Ｉ．  前記ユーザ機器に割り振られるリソースに関して前記ソース・スモールセルと調整し、前記ターゲット・スモールセルの構成情報を前記ソース・スモールセルに提供するステップと、
ＩＩ．  前記ユーザ機器が前記ターゲット・スモールセルにアクセスするように、前記ユーザ機器と対話するステップとを備える方法。
【請求項１３】
前記ステップＩＩの後に、
前記マクロセルが、前記ターゲット・スモールセルで確立されるＤＲＢに対応するダウンリンク・データを前記ターゲット・スモールセルに送信するように、どのＤＲＢが前記ターゲット・スモールセルで確立されるか、および／またはどのＤＲＢが前記ターゲット・スモールセルで確立されないかを前記マクロセルに通知するステップをさらに備えることを特徴とする請求項１２に記載の方法。
【請求項１４】
前記ステップＩの後、および前記ステップＩＩの前に、
前記ターゲット・スモールセルで確立され、前記ソース・スモールセルによって前記ユーザ機器に配信されていない前記ＤＲＢに対応するデータを、前記ソース・スモールセルにおいて受信するステップをさらに備えることを特徴とする請求項１２に記載の方法。
【発明の詳細な説明】
【技術分野】
【０００１】
本発明は、通信システムに関し、より詳細には、通信システムにおいてデュアル・コネクティビティを有するユーザ機器のモビリティを決定するための方法に関する。
【背景技術】
【０００２】
低電力ノードを使用する屋内および屋外のシナリオに対するさらなる機能拡張は、Ｒｅｌ−１２以降の３ＧＰＰワークショップにおける最も重要な題目の１つと見なされていた。図１は、スモールセルの潜在的な適用可能シナリオを示す。多数のスモールセルは、マクロセルのカバレッジの下にある。ユーザ機器（ＵＥ）は、マクロセルとスモールセルによって同時にサービスを提供される。マクロセルは、レガシー周波数を採用し、広いカバレッジを所有するが、スモールセルは、狭いカバレッジしか有していない、３．５ＧＨｚのようなより高い周波数を採用する。図１に示されるように、ＵＥがマクロセルおよびスモールセルによってサービスを提供される場合、ＵＥは、サイト間のキャリア・アグリゲーションを実行する必要がある。リリース１０において、ＬＴＥ−Ａは、キャリア・アグリゲーションを導入したが、これが適用可能となり得るのは、同じサイトまたは異なるサイトで理想的なバックホールを有する（片方向遅延がほぼ０の、極めて高い送信容量要件を満たすことができる）シナリオに限られる。
【０００３】
サイト間のシナリオ、すなわち図１に示されるようなシナリオについて、マクロセルとスモールセルとの間のバックホールが理想的である場合、現在のキャリア・アグリゲーションは（時間同期もマクロセルとスモールセルとの間で満たされるのであれば）再利用されてもよい。この状況下において、ＵＥに対して１つのＲＲＣ接続しかないと仮定することができる。
【０００４】
しかし、バックホールが理想的ではなく、キャリアによって提供されるデータに基づく場合、非理想的なバックホールの片方向遅延は、２ｍｓから６０ｍｓまで変動し、現在のキャリア・アグリゲーションメカニズムは適用可能ではなくなる。バックホール遅延により、マクロセルは、スモールセルの詳細なステータス情報をリアルタイムで認識することができないので、分散スケジューリングが適している。この状況下においては、周波数内のＲＲＭ（無線リソース管理：Ｒａｄｉｏ  Ｒｅｓｏｕｒｃｅ  Ｍａｎａｇｅｍｅｎｔ）のような部分ＲＲＣ機能を有することが、スモールセルにとって有利である。たとえば、スモールセルは、スモールセル自体のリソース構成情報を、ＵＥに直接送信することができる。このようにして、ＵＥは、デュアル・コネクティビティを有する。
【０００５】
ＵＥがデュアル・コネクティビティを有すると、ＵＥの移動は、結果として、さまざまなスモールセル間のモビリティをもたらす。しかし、既存のモビリティ手順は、ＵＥがデュアル・コネクティビティを有する場合には、適用可能とはなり得ない。たとえば、マクロセルとスモールセルとの間のバックホールが片方向で６０ｍｓの遅延を生じる場合に、マクロセルがスモールセル周波数のモビリティ決定を実行すれば、スモールセルがモビリティ決定を認識するには遅すぎることになり、このことは、このＵＥに対してソース・スモールセルがリソースの割り振りを続けるので、ソース・スモールセルにおいてリソースの浪費を引き起こす。
【発明の概要】
【課題を解決するための手段】
【０００６】
上記の問題点を考慮して、本発明は、デュアル・コネクティビティを有するユーザ機器に適用可能なモビリティ手順を提供する。
【０００７】
本発明の１つの態様によれば、ソース・スモールセルにおいて、ユーザ機器のモビリティを決定するための方法であって、ソース・スモールセルはマクロセルのカバレッジエリア内にあり、ユーザ機器はマクロセルおよびソース・スモールセルによって同時にサービスを提供される方法において、
ａ．  ユーザ機器に割り振られるリソースに関してマクロセルと調整し、ソース・スモールセルの構成情報をマクロセルに提供するステップと、
ｂ．  ユーザ機器がソース・スモールセルにアクセスするときに、ユーザ機器への送信のためにマクロセルからダウンリンク・データの少なくとも一部を受信するステップと、
ｃ．  ユーザ機器がソースセルにアクセスするように、ユーザ機器と対話するステップと、
ｄ．  ユーザ機器から、ソース・スモールセルによって占有される周波数において測定レポートを受信するステップ、またはユーザ機器から、スモールセルの全部によって占有される周波数において測定レポートを受信するステップと、
ｅ．  測定レポートに基づいて、ユーザ機器にサービスを提供するためにターゲット・スモールセルがソース・スモールセルに取って代わることを決定するステップと、
ｆ．  ユーザ機器に割り振られるリソースに関してターゲット・スモールセルと調整し、ターゲット・スモールセルの構成情報をターゲット・スモールセルから取得するステップと、
ｇ．  ターゲット・スモールセルの構成情報をユーザ機器に送信し、ソース・スモールセルによって割り振られるリソースをユーザ機器に解放するステップとを備える方法が提供される。
【０００８】
有利なことに、ステップｇは、
マクロセルが、ターゲット・スモールセルで確立されるＤＲＢに対応するダウンリンク・データをターゲット・スモールセルに送信するように、どのＤＲＢがターゲット・スモールセルで確立されるか、および／またはどのＤＲＢがターゲット・スモールセルで確立されないかをマクロセルに通知するステップを、さらに備える。
【０００９】
有利なことに、部分ＤＲＢのみがターゲット・スモールセルで確立される場合、ステップｇは、
ターゲット・スモールセルで確立されていないＤＲＢに対応する未配信データを、マクロセルに送信するステップをさらに備える。
【００１０】
有利なことに、ステップｇは、
ターゲット・スモールセルで確立され、ソース・スモールセルによってユーザ機器に配信されていないＤＲＢに対応するデータを、ターゲット・スモールセルに送信するステップをさらに備える。
【００１１】
本発明のもう１つの態様によれば、ユーザ機器において、ユーザ機器のモビリティを決定する際にソース・スモールセルを支援するための方法であって、ソース・スモールセルはマクロセルのカバレッジエリア内にあり、ユーザ機器はマクロセルおよびソース・スモールセルによって同時にサービスを提供される方法において、
ｉ．  ソース・スモールセルの構成情報をマクロセルから受信するステップと、
ｉｉ．  ソース・スモールセルにアクセスするステップと、
ｉｉｉ．  ソース・スモールセルによって占有される周波数において測定レポートをソース・スモールセルに送信し、その他の周波数において測定レポートをマクロセルに送信するステップ、または、スモールセルによって占有される周波数において測定レポートをソース・スモールセルに送信し、その他の周波数において測定レポートをマクロセルに送信するステップと、
ｉｖ．  ターゲット・スモールセルの構成情報をソース・スモールセルから受信するステップと、
ｖ．  ターゲット・スモールセルにアクセスするステップとを備える方法が提供される。
【００１２】
有利なことに、ステップｉｉは、
ソース・スモールセルにおいてランダム・アクセスを実行するステップと、
ソース・スモールセルから送信されるランダム・アクセス応答を受信するステップとを備える。
【００１３】
有利なことに、ステップｉｉは、
ソース・スモールセルのアクティブ化インジケータをマクロセルから受信するステップと、
ランダム・アクセス・トリガーを取得するために、ソース・スモールセルにおいてダウンリンク制御情報を受信するステップとをさらに備える。
【００１４】
本発明のさらなる態様によれば、マクロセルにおいて、ユーザ機器のモビリティを決定する際にソース・スモールセルを支援するための方法であって、ソース・スモールセルはマクロセルのカバレッジエリア内にあり、ユーザ機器はマクロセルおよびソース・スモールセルによって同時にサービスを提供される方法において、
Ａ．  チャネル条件およびスループット要件に基づいて、ユーザ機器のスモールセルを構成するステップと、
Ｂ．  ユーザ機器に割り振られるリソースに関してソース・スモールセルと調整し、ソース・スモールセルの構成情報を取得するステップと、
Ｃ．  ソース・スモールセルの構成情報をユーザ機器に送信し、ユーザ機器がソース・スモールセルにアクセスするときに、ユーザ機器への送信のためにダウンリンク・データの少なくとも一部をソース・スモールセルに送信するステップと、
Ｄ．  ソース・スモールセルから通知メッセージを受信するステップであって、通知メッセージは、マクロセルが、ターゲット・スモールセルで確立されるＤＲＢに対応するダウンリンク・データをターゲット・スモールセルに送信するように、どのＤＲＢがターゲット・スモールセルで確立されるか、および／またはどのＤＲＢがターゲット・スモールセルで確立されないかをマクロセルに通知するために使用される、ステップとを備える方法が提供される。
【００１５】
有利なことに、方法は、
ターゲット・スモールセルで確立され、ソース・スモールセルによってユーザ機器に配信されていないＤＲＢに対応するデータを、ユーザ機器またはターゲット・スモールセルに送信するステップをさらに備える。
【００１６】
本発明のもう１つのさらなる態様によれば、マクロセルにおいて、ユーザ機器のモビリティを決定する際にソース・スモールセルを支援するための方法であって、ソース・スモールセルはマクロセルのカバレッジエリア内にあり、ユーザ機器はマクロセルおよびソース・スモールセルによって同時にサービスを提供される方法において、
チャネル条件およびスループット要件に基づいて、ユーザ機器のスモールセルを構成するステップと、
ユーザ機器に割り振られるリソースに関してソース・スモールセルと調整し、ソース・スモールセルの構成情報を取得するステップと、
ソース・スモールセルの構成情報をユーザ機器に送信し、ユーザ機器がソース・スモールセルにアクセスするときに、ユーザ機器への送信のためにダウンリンク・データの少なくとも一部をソース・スモールセルに送信するステップと、
ターゲット・スモールセルから通知メッセージを受信するステップであって、通知メッセージは、マクロセルが、ターゲット・セルで確立されるＤＲＢに対応するダウンリンク・データをターゲット・セルに送信するように、どのＤＲＢがターゲット・スモールセルで確立されるか、および／またはどのＤＲＢがターゲット・セルで確立されないかをマクロセルに通知するために使用される、ステップとを備える方法が提供される。
【００１７】
本発明のさらにもう１つのさらなる態様によれば、ターゲット・スモールセルにおいて、ユーザ機器のモビリティを決定する際にソース・スモールセルを支援するための方法であって、ソース・スモールセルはマクロセルのカバレッジエリア内にあり、ユーザ機器はマクロセルおよびソース・スモールセルによって同時にサービスを提供される方法において、
Ｉ．  ユーザ機器に割り振られるリソースに関してソース・スモールセルと調整し、ターゲット・スモールセルの構成情報をソース・スモールセルに提供するステップと、
ＩＩ．  ユーザ機器がターゲット・スモールセルにアクセスするように、ユーザ機器と対話するステップとを備える方法が提供される。
【００１８】
有利なことに、ステップＩＩの後には、
マクロセルが、ターゲット・スモールセルで確立されるＤＲＢに対応するダウンリンク・データをターゲット・スモールセルに送信するように、どのＤＲＢがターゲット・スモールセルで確立されるか、および／またはどのＤＲＢがターゲット・スモールセルで確立されないかをマクロセルに通知するステップを、さらに備える。
【００１９】
有利なことに、ステップＩの後、およびステップＩＩの前には、
ターゲット・スモールセルで確立され、ソース・スモールセルによってユーザ機器に配信されていないＤＲＢに対応するデータを、ソース・スモールセルにおいて受信するステップをさらに備える。
【００２０】
本発明のその他の目的、特徴、および利点は、添付の図面を参照して非限定的な実施形態の後段の説明を読むことで、さらに明確かつ顕著なものとなろう。
【図面の簡単な説明】
【００２１】
【図１】本発明の１つの実施形態によるデュアル・コネクティビティを有するユーザ機器のネットワーク・アーキテクチャを示す図である。
【図２】本発明の１つの実施形態による、ソース・スモールセルにおいてユーザ機器のモビリティを決定するための方法を示す流れ図である。
【図３】本発明のもう１つの実施形態による、ソース・スモールセルにおいてユーザ機器のモビリティを決定するための方法を示す流れ図である。
【図４】本発明の１つの実施形態による、マクロセルにおいてユーザ機器のモビリティを決定するための方法を示す流れ図である。
【図５】ＰＤＣＰスプリットのアーキテクチャを示す概略図である。
【図６】ＲＬＣスプリットのアーキテクチャを示す概略図である。
【発明を実施するための形態】
【００２２】
添付の図面において、同一または類似する参照番号は、同一または類似するステップの特徴／手段（モジュール）を示す。
【００２３】
実施形態１：スモールセルは、スモールセルによって占有される周波数においてユーザ機器のモビリティ決定を行う。
【００２４】
これ以降、本発明の実施形態は、図２を参照して説明される。
【００２５】
ステップＳ２１において、最初に、ユーザ機器は、マクロセルのみにアクセスする。この時点において、ユーザは、マクロセルとの１つのＲＲＣ接続だけを有する。マクロセルは、ユーザ機器のチャネル条件およびスループット要件に基づいて、ユーザ機器のスモールセルを構成する。
【００２６】
ステップＳ２２において、マクロセルは、ユーザ機器に割り振られるリソースに関してソース・スモールセルと調整し、ソース・スモールセルの構成情報をソース・スモールセルから取得する。たとえば、機器が、タイミング・アドバンスを取得するために、ソース・スモールセルにおいてランダム・アクセスを実行する必要がある場合、マクロセルは、ユーザ機器に割り振られるランダム・アクセス・リソースに関してソース・スモールセルと調整し、ソース・スモールセルは、ソース・スモールセルにおけるセル無線ネットワーク一時識別子（Ｃ−ＲＮＴＩ）をユーザ機器に割り振り、マクロセルは、ソース・スモールセルによってユーザ機器に割り振られるＣ−ＲＮＴＩを取得する。
【００２７】
ステップＳ２３において、マクロセルは、ユーザ機器がソース・スモールセルにアクセスするときにユーザ機器に送信されるように、ダウンリンク・データの少なくとも一部をソース・スモールセルに送信し、マクロセルは、取得されたソース・スモールセルの構成情報をユーザ機器に送信する。
【００２８】
ソース・スモールセルの構成情報は、
ソース・スモールセルによって占有される周波数および帯域幅と、
ソース・スモールセルのアンテナ構成と、
ソース・スモールセルの物理セル識別子と、
ランダム・アクセス・チャネル構成、ＰＤＳＣＨ（物理ダウンリンク共有チャネル：Ｐｈｙｓｉｃａｌ  Ｄｏｗｎｌｉｎｋ  Ｓｈａｒｅｄ  Ｃｈａｎｎｅｌ）構成などのような、共通チャネル構成と、
異なるタイミング・アドバンス（ＴＡ）がマクロセルとソース・スモールセルとの間にある場合、ソース・スモールセルにおけるタイミング・アドバンス・グループ（ＴＡＧ）構成と、
ソース・スモールセルによってユーザ機器に割り振られるＣ−ＲＮＴＩと、
ソース・スモールセルにおいて確立されるＤＲＢ構成（そのＱｏＳ（サービス品質を含む）と、
ソース・スモールセルにおいて確立されるＳＲＢ構成（ＳＲＢは、ソース・スモールセルにおいて部分ＲＲＭ機能に使用される）とを含む。
【００２９】
ステップＳ２４において、ユーザ機器は、ソースセルの構成情報をマクロセルから受信して、ソース・スモールセルにアクセスする。この時点において、ユーザ機器は、デュアル・コネクティビティを有する。
【００３０】
具体的には、最初、ユーザ機器は、ソース・スモールセルを非アクティブと見なして、ユーザ機器が、ＭＡＣ  ＣＥ（メディアアクセス制御  制御要素：Ｍｅｄｉｕｍ  Ａｃｃｅｓｓ  Ｃｏｎｔｒｏｌ  Ｃｏｎｔｒｏｌ  Ｅｌｅｍｅｎｔ）においてソース・スモールセルのアクティブ化インジケータをマクロセルから受信した後、ユーザ機器は、ソース・スモールセルにおいてダウンリンク制御情報（ＤＣＩ）の監視を開始する。ユーザ機器は、ランダム・アクセス・トリガーを認識するために、ソース・スモールセルからＤＣＩを受信する。次いで、ユーザ機器は、ソース・スモールセルにおいてランダム・アクセスを実行し、ソース・スモールセルから送信されたランダム・アクセス応答を受信する。あるいは、もう１つの実施態様が採用されてもよく、ユーザ機器は、ソース・スモールセルをアクティブと見なして、取得されたソース・スモールセルの構成情報に基づいて、ソース・スモールセルにおいてランダム・アクセスを直接開始する。ランダム・アクセスプロセスがソース・スモールセルにおいて成功する場合、ユーザ機器は、ソース・スモールセルに正常にアクセスする。この時点において、ユーザ機器は、マクロセルおよびソース・スモールセルへのデュアル・コネクティビティを有する。
【００３１】
ユーザ機器がデュアル・コネクティビティを有する場合、プロトコル・アーキテクチャは、拡張ユーザ・プレーン・アーキテクチャおよび拡張制御プレーン・アーキテクチャを備える。
【００３２】
ユーザ・プレーン・アーキテクチャ
ユーザ・プレーン・アーキテクチャにはさまざまな代替がある。ＰＤＣＰスプリット（パケット・データ・コンバージェンス・プロトコル・スプリット：Ｐａｃｋｅｔ  Ｄａｔａ  Ｃｏｎｖｅｒｇｅｎｃｅ  Ｐｒｏｔｏｃｏｌ  ｓｐｌｉｔ）およびＲＬＣスプリット（無線リンク制御スプリット：Ｒａｄｉｏ  Ｌｉｎｋ  Ｃｏｎｔｒｏｌ  ｓｐｌｉｔ）アーキテクチャは、３ＧＰＰによって採用されるより高い可能性を有している。ＰＤＣＰスプリットは、特定のＤＲＢ（データ無線ベアラ）のダウンリンク・データ（コア・ネットワークから取得され、コア・ネットワークによってＳ１インターフェースを介してマクロ基地局に送信される）が、マクロセルのＰＤＣＰエンティティによって分割されることを示し、ここでユーザ・データの一部または全部は、インターフェースＸｎを介してスモールセルの基地局においてＲＬＣエンティティに割り振られ（ＤＲＢの場合、マクロセル基地局に１つのＰＤＣＰエンティティがあり、マクロセル基地局およびスモールセル基地局に２つのＲＬＣエンティティがある）、次いで、ユーザ・データの一部または全部は、基礎をなすＭＡＣレイヤおよび物理レイヤを通じてユーザ機器に送信される。ＰＤＣＰスプリット・アーキテクチャの概略図は、図５に示され、説明されているインターフェースＸｎは、既存のＸ２インターフェースの拡張を表す。ＲＬＣスプリットは、特定のＤＲＢのダウンリンク・データがマクロセルにおいてＲＬＣエンティティによって分割されることを示し、ここでユーザ・データの一部または全部は、スモールセルの基地局においてＲＬＣサブレイヤ・エンティティに割り振られ（ＤＲＢの場合、マクロセル基地局に１つのＰＤＣＰエンティティおよび１つのＲＬＣエンティティがあり、スモールセル基地局に１つのＲＬＣサブレイヤ・エンティティがあり、サブレイヤ・エンティティはセグメンテーションおよび再編成機能を有し、マクロセル基地局とスモールセル基地局に、それぞれ１つのＭＡＣエンティティがある）、次いで、データの一部または全部は、基礎をなすＭＡＣレイヤおよび物理レイヤを通じてユーザ機器に送信される。ＰＤＣＰスプリット・アーキテクチャの場合、特定のＤＲＢのダウンリンク・データの全部がスモールセルによってユーザ機器に送信される場合、マクロセル基地局はＤＲＢのＲＬＣエンティティを含まないこともある。ＲＬＣスプリット・アーキテクチャの概略図は、図６に示される。
【００３３】
制御プレーン・アーキテクチャ
マクロセルは、広いカバレッジを有する。したがって、マクロセルにＮＡＣ（非アクセス層：Ｎｏｎ  Ａｃｃｅｓｓ  Ｓｔｒａｔｕｍ）交換、ページング、および受信システムメッセージのような主要制御機能を置くことは理に適っており、これはコア・ネットワークへの影響を低減しながらもより優れたパフォーマンスを保証する（すなわち少ないハンドオーバ）。しかし、スモールセル基地局は依然として、ローカル（または分散された）スケジュールにより、部分ＲＲＭ（無線リソース管理：ｒａｄｉｏ  ｒｅｓｏｕｒｃｅ  ｍａｎａｇｅｍｅｎｔ）機能を有する必要がある。たとえば、スモールセル基地局は、無線ベアラ関連のパラメータのような、ユーザ機器のＲＲＣを通じてそのローカル・スケジュールに関する対応するパラメータを構成または再構成することができ、スモールセル基地局は、ローカル・スケジュールを実行するときにスモールセル間干渉調整を実行することができるように、ユーザ機器から直接、指定された周波数（たとえば、スモールセルによって占有される周波数）で測定レポートを取得することができる。
【００３４】
ステップＳ２５において、ユーザ機器は、測定レポートをソース・スモールセルに送信する。１つの例において、測定レポートは、ソース・スモールセルによって占有される周波数における測定レポートであってもよい。ソース・スモールセルは、分散スケジューリング、スモールセル間干渉調整、および周波数のモビリティ決定のために、このタイプの測定レポートを必要とする。ユーザ機器は、マクロセルによるモビリティ決定を行うために、その他の周波数において測定レポートをマクロセルに送信する。
【００３５】
その他の例において、スモールセルを配置する２つ以上の周波数がある場合、たとえば、Ｆ１およびＦ２もまたスモールセルについて配置され得る場合、ユーザ機器は、ソース・スモールセルが２つ以上の周波数に対してモビリティ決定を行うことができるように、２つ以上の周波数において測定レポートをソース・スモールセルに送信することができる。
【００３６】
このステップにおいて、ソース・スモールセル基地局が、たとえばユーザ機器によって送信された測定レポートを受信する、スモールセル・レベルでモビリティ管理を実行するなどの、部分ＲＲＭ機能を有すると仮定して、ソース・スモールセルにおいて分散スケジューリングを考慮してパラメータを構成する。
【００３７】
ステップＳ２６において、ソース・スモールセルは、測定レポートに基づいて、ユーザ機器にサービスを提供するためにソース・スモールセル自体に取って代わるようにターゲット・スモールセルを使用することを決定する。
【００３８】
ステップＳ２７において、ソース・スモールセルは、ユーザ機器に割り振られるリソースに関してターゲット・スモールセルと調整し、ターゲット・スモールセルの構成情報をターゲット・スモールセルから取得する。たとえば、ユーザ機器が、タイミング・アドバンスを取得するために、ターゲット・スモールセルにおいてランダム・アクセスを実行する必要がある場合、ソース・スモールセルは、Ｘ２インターフェースを介してユーザ機器に割り振られるランダム・アクセス・リソースに関してターゲット・スモールセルと調整し、ソース・スモールセルは、Ｘ２インターフェースを介してターゲット・スモールセルによってユーザ機器に割り振られるＣ−ＲＮＴＩを取得する。ソース・スモールセルとターゲット・スモールセルとの間にＸ２インターフェースがない場合、ソース・スモールセルは、マクロセルを介して、ターゲット・スモールセルとリソース割り振りを調整することができる。
【００３９】
このステップにおいて、ターゲット・スモールセルは、ソース・スモールセルによって確立されるよう要求されたＤＲＢ（データ無線ベアラ）をすべては許容しない場合もある。場合によっては、部分ＤＲＢのみが、ターゲット・スモールセルにおいて確立されることを許容される。
【００４０】
ステップＳ２８において、ソース・スモールセルは、ターゲット・スモールセルの構成情報をユーザ機器に送信して、ソース・スモールセルによってユーザ機器に割り振られるリソースを解放する。
【００４１】
ターゲット・スモールセルの構成情報は、ターゲット・スモールセルによって占有される周波数および帯域幅と、ターゲット・スモールセルのアンテナ構成と、ターゲット・スモールセルの物理セル識別子と、ターゲット・スモールセルにおいて確立されるＤＲＢ構成と、ターゲット・スモールセルによってユーザ機器に割り振られるＣ−ＲＮＴＩなどを含む。
【００４２】
部分ＤＲＢのみがターゲット・スモールセルで確立される場合、ソース・スモールセルによってユーザ機器に送信されるターゲット・スモールセルの構成情報は、部分ＤＲＢのみを含む。
【００４３】
オプションで、ステップＳ２８Ａにおいて、ソース・スモールセルは、ターゲット・スモールセルで確立されるが、現在のソース・スモールセルによってユーザ機器にまだ配信されていないＤＲＢに対応するデータを、ターゲット・スモールセルに送信することができる。
【００４４】
ＰＤＣＰスプリット・アーキテクチャが採用される場合、モビリティ中のデータ損失を回避するために、後段の２つの解決策が使用され得る。
【００４５】
解決策１：配信されていないソース・スモールセル内のＲＬＣ  ＰＤＵは、ターゲット・スモールセルに転送される必要がある。これらの２つのスモールセルは、未配信のＲＬＣ  ＰＤＵを転送するためにトンネルを確立する必要がある。
【００４６】
解決策２：マクロセル基地局内のＰＤＣＰエンティティが、どのＰＤＣＰ  ＰＤＵがソース・スモールセルに割り振られるか、または再送信機能を有するかを記録することができる場合、マクロセルは、ターゲット・スモールセルで確立されるが、ソース・スモールセルによってユーザ機器に配信されていないＤＲＢに対応するデータを、ユーザ機器に送信することができるか、または、マクロセルは、ターゲット・スモールセルで確立されるが、ソース・スモールセルによってユーザ機器に配信されていないＤＲＢに対応するデータを、ターゲット・スモールセルに送信することができ、次いで、ターゲット・スモールセルは、受信したデータをユーザ機器に送信する。
【００４７】
ＲＬＣスプリット・アーキテクチャが採用される場合、マクロセル基地局内のＲＬＣエンティティは、配信されていないＲＬＣ  ＰＤＵを、ターゲット・スモールセルに送信することができる。
【００４８】
部分ＤＲＢのみがターゲット・スモールセルで確立される場合、ターゲット・セルにおいて確立されないＤＲＢに対して、ＤＰＣＰスプリット・アーキテクチャが採用されるのであれば、ソース・スモールセルは、ターゲット・スモールで確立されず、配信されていないＤＲＢに対応するデータを、マクロセルに送信する必要がある。
【００４９】
ステップＳ２８Ｂにおいて、ソース・スモールセルは、ターゲット・スモールセルで確立されるＤＲＢに対応するダウンリンク・データをターゲット・スモールセルに送信するためにマクロセルに使用可能となるように、どのＤＲＢがターゲット・スモールセルで確立されるか、および／またはどのＤＲＢがターゲット・スモールセルで確立されないかをマクロセルに通知する。
【００５０】
上記のステップＳ２８、Ｓ２８Ａ、およびＳ２８Ｂは、ソース・スモールセルにおいて並行して実行されてもよいことに留意されたい。
【００５１】
ステップＳ２９において、ユーザ機器は、ターゲット・スモールセルの構成情報をソース・スモールセルから受信して、ターゲット・スモールセルにアクセスする。
【００５２】
具体的には、最初、ユーザ機器は、ターゲット・スモールセルを非アクティブと見なす。ユーザ機器が、アクティブ化インジケータと共にＭＡＣ  ＣＥコマンドをマクロセルから受信する場合、ユーザ機器は、ターゲット・スモールセルにおいてＤＣＩの監視を開始するか、または、ユーザ機器は、ターゲット・スモールセルの構成情報に基づいてターゲット・スモールセルにおいてランダム・アクセスを直接開始する。ユーザ機器は、ターゲット・スモールセルにおいてランダム・アクセス応答を受信する。
【００５３】
ユーザ機器は、ターゲット・スモールセルの構成情報から、ターゲット・スモールセルにおけるランダム・アクセスプロセスが必要であるかどうかを認識することができる。たとえば、スモールセルおよびマクロセルが異なるタイミング・アドバンス・グループに属している場合、ユーザ機器は、タイミング・アドバンスを取得するために、ターゲット・スモールセルにおいてランダム・アクセスを実行する必要がある。ユーザ機器は、ランダム・アクセス・トリガーを取得するために、ターゲット・スモールセルからＤＣＩを受信することができ、ＤＣＩが専用ランダム・アクセスプリアンブルを含むことができるか、またはユーザ機器は、ターゲット・スモールセルにおいてランダム・アクセスを直接開始する。ターゲット・スモールセルにおけるランダム・アクセスプロセスが成功する場合、ユーザ機器は、ターゲット・スモールセルに正常にアクセスする。
【００５４】
このステップにおいて、ユーザ・プレーンにＰＤＣＰスプリット・アーキテクチャが採用される場合、ユーザ機器は、ターゲット・スモールセルにおいて確立されるＤＲＢに対してＲＬＣを再確立する必要がある。ＰＤＣＰアーキテクチャまたはＲＬＣアーキテクチャの場合、ＭＡＣはターゲット・スモールセルに対してリセットされる。
【００５５】
変形の実施形態において、図３に示されるように、ユーザ機器は最初に、ターゲット・スモールセルにアクセスし（ステップＳ３９）、次いで、ターゲット・スモールセルは、現在のターゲット・セルで確立されるＤＲＢに対応するダウンリンク・データを現在のターゲット・スモールセルに送信するためにマクロセルに使用可能となるように、どのＤＲＢが現在のターゲット・スモールセルで確立されるか、および／またはどのＤＲＢが現在のターゲット・スモールセルで確立されないかをマクロセルに通知する（ステップＳ３１０）。図３の残りのステップＳ３１〜Ｓ３８Ａは、図２のステップＳ２１〜Ｓ２８Ａと類似している。簡潔にするため、それらについては繰り返されない。しかし、ステップＳ３９において、ユーザ機器は、ターゲット・スモールセルの構成情報に基づいてターゲット・スモールセルにおいてランダム・アクセスを直接開始する。
【００５６】
本実施形態において、ソース・スモールセルは、ユーザ機器によって送信された測定レポートに基づいて、引き続きユーザ機器にサービスを提供するターゲット・スモールセルを見出すことができる。ユーザ機器にサービスを提供することができるスモールセルが存在しない場合、ソース・スモールセルは、ソース・スモールセル自体とユーザ機器との間の接続を直接解放し、ソース・スモールセルは、（ＰＤＣＰスプリット・アーキテクチャの場合）まだ送信されていないソース・スモールセルのＲＬＣ  ＰＤＵをマクロセルに転送する必要がある。この時点において、ユーザ機器は、マクロセルとの単一のＲＲＣ接続だけを保持する。
【００５７】
実施形態２：マクロセルは、スモールセルによって占有される周波数のモビリティ決定を行う。
【００５８】
この実施形態において、マクロセルは、ソースセルによって占有される周波数において測定レポートをユーザ機器から受信し、したがって、マクロセルは、図４に示されるように、ソース・スモールセルによって占有される周波数のモビリティ決定を行う。
【００５９】
この実施形態は、次の点において、図２の実施形態とは異なる。
【００６０】
ステップＳ４５において、ユーザ機器は、マクロセルがソース・スモールセルによって占有される周波数のモビリティ決定を行うように、ソース・スモールセルによって占有される周波数において測定レポートをマクロセルに送信する。したがって、ステップＳ４６において、マクロセルは、ソース・スモールセルを置き換えてユーザ機器にサービスを提供するためにターゲット・スモールセルを使用するよう決定する。
【００６１】
ユーザ機器はまた、ソース・スモールセルが分散スケジューリングおよび場合によってはスモールセル間干渉調整を実行できるように、ソース・スモールセルによって占有される周波数において測定レポートをソース・スモールセルに送信することに留意されたい。
【００６２】
ステップＳ４８において、マクロセルは、ターゲット・スモールセルの構成情報をユーザ機器に送信する。
【００６３】
マクロセルが、ソース・スモールセルを置き換えてユーザ機器にサービスを提供するためにターゲット・スモールセルを使用するよう決定した後、ステップＳ４７Ａにおいて、マクロセルは、ユーザ機器に割り振られたリソースを解放することをソース・スモールセルに通知する。解放メッセージにおいて、マクロセルは、ＤＰＣＰスプリット・アーキテクチャが採用される場合に、ソース・スモールセルが、配信されていないＲＬＣ  ＰＤＵをターゲット・スモールセルに転送できるように、ユーザ機器が接続されるターゲット・スモールセルについてソース・スモールセルに通知することができる。ＲＬＣスプリット・アーキテクチャの場合、ステップＳ４１０は存在しない。
【００６４】
上記の特有のステップ以外の図４の残りのステップは、図２のステップと類似している。簡潔にするため、ここではそれらについては繰り返されない。
【００６５】
本発明は、添付の図面および上記の説明において、詳細に示され説明されてきたが、図示および説明が、限定的ではなく、説明的および例示的なものであり、本発明が上記の実施形態に限定されないことを理解されたい。
【００６６】
当業者であれば、説明、開示される内容、添付の図面、および添付の特許請求の範囲を検討することを通じて、開示される実施形態のその他の改変を理解および実施することができる。特許請求の範囲において、「備える（ｃｏｍｐｒｉｓｅ）」という表現は、その他の要素およびステップを除外するものではなく、「１つ（ｏｎｅ）」という表現は、複数形を除外するものではない。本発明の実際の出願において、一部分は、特許請求の範囲において列挙される複数の技術的特徴の機能を実行することができる。特許請求の範囲におけるいかなる参照番号も、範囲を限定するものと解釈されるべきではない。
【図１】
2016521530.tif 000003
【図２】
2016521530.tif 000004
【図３】
2016521530.tif 000005
【図４】
2016521530.tif 000006
【図５】
2016521530.tif 000007
【図６】
2016521530.tif 000008
【国際調査報告】
2016521530.tif 000009
2016521530.tif 000010
2016521530.tif 000011
2016521530.tif 000012